(57)【要約】本発明は、傘又はパラソルといった傘装置に関し、ロッドと、前記ロッドの端部近傍に取り付けられた柔軟なキャノピーと、前記キャノピーを開閉するために前記ロッドに沿って移動可能な操作手段と、前記キャノピーを伸長させる手段とを備え、前記キャノピー伸長手段は、１組の第１伸長部と、１組の第２伸長部とを有し、前記第１伸長部の各々は、第１端部で前記ロッドに回動自在に取り付けられ、取り付け箇所から前記キャノピーに沿って前記キャノピーの外周近傍に伸び、前記第２伸長部の各々は、第１端部で前記操作手段に回動自在に取り付けられ、又、第２端部で対応する第１伸長部に取り付けられ、前記第１及び第２伸長部の間の連結部は、前記ロッドよりも前記キャノピーの外周の近くに設けられ、また好ましくは実質的に前記キャノピーの外周の近くに位置付けられる。
2008545503.tif 000002
【特許請求の範囲】
【請求項１】
傘及びパラソルを含む傘装置であって、
ロッドと、
前記ロッドの端部近傍に取り付けられた柔軟なキャノピーと、
前記キャノピーを開閉するために前記ロッドに沿って移動可能な操作手段と、
前記キャノピーを伸長させる手段とを備え、
前記キャノピー伸長手段は、１組の第１伸長部と、１組の第２伸長部とを有し、
前記第１伸長部の各々は、第１端部が前記ロッドに回動自在に取り付けられ、取り付け箇所から前記キャノピーに沿って前記キャノピーの外周近傍に伸び、
前記第２伸長部の各々は、第１端部が前記操作手段に回動自在に取り付けられ、又、第２端部が対応する第１伸長部に取り付けられ、
前記第１及び第２伸長部の間の連結部が、前記ロッドよりも前記キャノピーの外周の近くに設けられ、または実質的に前記キャノピーの外周の近くに位置付けられることを特徴とする傘装置。
【請求項２】
前記第１及び第２伸長部が、互いの連結部から実質的に平行に所定の長さに亘って伸び、平行に伸びる箇所に接触面を形成することを特徴とする請求項１に記載の傘装置。
【請求項３】
前記伸長部が、第１方向に第２方向よりも実質的に小さい曲げ剛性を有することを特徴とする請求項２に記載の傘装置。
【請求項４】
前記第１及び第２伸長部が、協働形状を有することを特徴とする請求項２に記載の傘装置。
【請求項５】
前記第１及び第２伸長部が、前記移動可能な操作手段は、前記ロッドの長さ方向の重要な部分を取り囲む中空管の形状であり、前記ロッドに沿ってスライド移動可能であることを特徴とする請求項１から４のいずれかに記載の傘装置。
【請求項６】
前記キャノピーが閉じた場合、前記中空管は、前記キャノピーの連結部に近い前記ロッドの最上の位置に配置され、前記キャノピーを開くために、最上の位置から前記ロッドに沿って下方に移動可能であることを特徴とする請求項５に記載の傘装置。
【請求項７】
前記キャノピーが開いた状態である場合、前記伸長部は、実質的に前記ロッドから半径方向に伸び、少なくとも前記第２伸長部が付勢されることを特徴とする請求項１から６のいずれかに記載の傘装置。
【請求項８】
前記キャノピーは、非対称な形状であり、
前記ロッドは、前記キャノピーに特徴的に取り付けられ、
前記伸長部は、種々の長さを有することを特徴とする請求項１から７のいずれかに記載の、又は請求項１の前提部に係る、傘装置。
【請求項９】
キャノピーの非対称な形状は、側方から見て、実質的に翼型であることを特徴とする請求項８に記載の傘装置。
【請求項１０】
前記キャノピーは、上方から見て、実質的に卵形であることを特徴とする請求項８又は９に記載の傘装置。
【請求項１１】
前記ロッドと前記伸長部とは分離した形状であり、
前記ロッドと前記伸長部との部品の形状は実質的に対応しており、
前記ロッドは、使用準備状態と収納状態とを転換可能であり、収納状態では、前記傘装置の形状は、使用準備状態の場合に比べてかなり小さいことを特徴とする請求項８から１０のいずれかに記載の傘装置。
【請求項１２】
前記キャノピーの外周の近くに設けられる前記伸長部の端部を保護するための保護手段を備え、
前記保護手段は、各端部にガードを備えることを特徴とする請求項１から１１のいずれかに記載の傘装置。
【請求項１３】
前記操作手段と前記各第２伸長部の間の前記回動自在な連結部は、実質的に柔軟で回動する部材であり、一端が前記第２伸長部の前記第１端部に取り付けられ、他端が移動可能な操作手段に取り付けられることを特徴とする請求項１から１１のいずれかに記載の、又は請求項１の前提部に係る、傘装置。
【請求項１４】
前記回動部は、アラミド又はダイニーマ（登録商標）等の柔軟かつ耐久性がある材料を用いた繊維であることを特徴とする請求項１３に記載の傘装置。
【請求項１５】
前記回動部は、繊維又は繊維リボンが織られたものであることを特徴とする請求項１４に記載の傘装置。
【請求項１６】
前記回動部は、スリーブ形状であり、一端が前記第２伸長部の第１端部の周囲に配置されて、接着又は圧着によって固定されることを特徴とする請求項１３から１５のいずれかに記載の傘装置。
【請求項１７】
スリーブ形状の前記回動部の他端は、前記移動可能な操作手段に、留め具によって固定されることを特徴とする請求項１６に記載の傘装置。
【請求項１８】
少なくとも前記第２伸長部が、プラスチックで補強された繊維で製造されていることを特徴とする請求項１から１７のいずれかに記載の傘装置。
【請求項１９】
全ての伸長部が、プラスチックで補強された繊維で製造されていることを特徴とする請求項１８に記載の傘装置。
【請求項２０】
前記第１及び第２伸長部の間の連結部は、それぞれ接着されていることを特徴とする請求項１８又は１９に記載の傘装置。
【請求項２１】
請求項１から２０のいずれかに記載の傘装置に備えることが明らかに意図されたキャノピー伸長手段。
【請求項２２】
請求項１３から２０のいずれかに記載の傘装置に備えることが明らかに意図された回動自在な連結部。
【発明の詳細な説明】
【技術分野】
【０００１】
本発明は、遮蔽又は傘装置（シールド装置又はキャノピー装置）に関し、特に、ロッドと、前記ロッドの端部近傍に取り付けられた柔軟なキャノピー（天蓋）と、前記キャノピーを開閉するために前記ロッドに沿って移動可能な操作手段と、前記キャノピーを伸長させる手段とを備え、前記キャノピー伸長手段は、１組の第１伸長部と、１組の第２伸長部とを有し、前記第１伸長部の各々は、第１端部で前記ロッドに回動自在に取り付けられ、取り付け箇所から前記キャノピーに沿って前記キャノピーの外周近傍に伸び、前記第２伸長部の各々は、第１端部で前記操作手段に回動自在に取り付けられ、又、第２端部で対応する第１伸長部に取り付けられる傘又はパラソルに関する。このような傘装置は、傘又はパラソルとして一般に知られており、又、そのように通常呼ばれているものである。
【背景技術】
【０００２】
傘は、とても古いもので、裕福な人の日傘から発展して、今では雨の日に通常見かける傘になった。
【発明の開示】
【発明が解決しようとする課題】
【０００３】
現在の傘は、壊れやすく、特にビューフォート階級で４を超える強風に耐えられない。いわゆる風に強い傘であっても、強風のときは、とても使い心地が悪い。雨降りは通常風を伴い、そのため、ビューフォート階級で４を超える強風であっても心地よく使えて、さらに、壊れない程度に丈夫な傘が必要である。傘の損傷の殆どが、リブに設けられた回転部で起きる。加えて、傘の傾斜した突出部は、しばしば通行人にとって危険なものであり、これらの突出部がしばしば目の高さにあるため尚更である。上述の問題を避けながら、さらに利点を提供するような傘装置を提案することが、本発明の目的である。
【課題を解決するための手段】
【０００４】
本発明の第１実施形態によると、上述の傘装置で第１及び第２伸長部の連結部が、ロッドよりもキャノピー外周の近くに設けられ、好ましくは、実質的にキャノピーの外周近傍に位置付けられることで、上述の目的が達成される。
【０００５】
本発明に係る傘装置は、一般の傘でしばしばリブに設けられる壊れやすい回転部に代わるものを備えることで、丈夫な傘を形成する。リブ表面を接触させることで、力の吸収が生じる。
【０００６】
一般的に円形であり、そのため空気力学的に好ましくない形状をしており、その結果、強風の天候に晒されると、従来の傘では、しばしばとても不安定になる。安定性を向上するため、本発明の第２実施形態に係る傘装置が提案され、その傘装置では、キャノピーが非対称の形状を有し、ロッドがキャノピーに特徴的に取り付けられ、伸長部が種々の長さを有する。キャノピーが非対称な形状を有することで、本発明に係る傘装置は、突風に晒された場合に傘装置が安定した状態をとり続けることが確かな空気力学的形状に改善した。結果として、抵抗が明らかに低減するため、強風の天候で本発明に係る傘を快適に操作することが可能になる。さらに、この自己調整式の平衡機構によると、傘装置に過剰な負荷が掛からないようになり、耐久性が向上する。
【０００７】
一般的な傘で壊れやすい箇所は、リブと開閉機構との間の回動自在な連結部である。第３実施形態によると、操作手段と各第２伸長部との間の回動自在な連結部は、実質的に湾曲して回動する部材からなり、その部材は、一端が第２伸長部の第１端部に取り付けられ、他端が移動可能な操作手段に取り付けられる傘装置を、本発明は提供する。
【０００８】
従属請求項での発明に係る傘装置の実施の形態が説明される。
【０００９】
最後に、本発明はさらに、本明細書で説明する傘装置に利用されるキャノピー伸長手段及び回動自在な連結部に関する。
【発明を実施するための最良の形態】
【００１０】
図１から１６に示す実施の形態は、傘装置（傘又はパラソル）１と、キャノピー３を開閉するための操作手段を有するロッド２とを含み、上記キャノピー３は、第１伸長部５ａ及び第２伸長部５ｂを有するキャノピー伸長手段５を利用して開いた状態に伸長される。キャノピー３は、雨又は風といった天候の影響から利用者を保護するために利用され、柔軟な材料、好ましくは、耐久性と撥水性も備えた材料、例えばポリエステル製の布からなる。
【００１１】
第１及び第２伸長部５ａ，５ｂ又はリブは互いに、キャノピー３の外周端部の近くに、又は、その位置に、取り付けられる。これによって、キャノピー３の外側部分が、その下面に風を受けて折れ曲がる（従来の傘装置に良くある）ことを防ぐ。伸長部５ａ及び５ｂは、傘が突風に晒された場合に生じる力を吸収できる接触面を有するそれらの連結部（例えば、接着剤での連結部）から、実質的に平行に所定の長さに亘って伸びる。本発明に係る傘装置１は、現在の傘ではリブにしばしば設けられる壊れやすい回転部に、接触面有する代替物を設けることによって、丈夫な傘を提供する。強風によって傘に負荷が掛かると、リブ（第１及び第２伸長部５ａ，５ｂ）が接触面に亘って形成され、そこでの形成は、歩行時に足が真っ直ぐに伸びるように、湾曲した面が実質的に平坦な面に転換する手段に利用され、そのため、この接触面に掛かる力が吸収及び分散される。図１１は、接触面Ａを有する第１及び第２伸長部５ａ，５ｂを備える傘装置を示す。負荷による上記形成のため、図１２に示すように、接触面Ａ’が広くなる。この形成によって、ヒンジを備えた従来のリブ構造で生じるような負荷の集中を防ぐ。
【００１２】
第１及び第２伸長部５ａ，５ｂは、湾曲した面が実質的に平坦な面になる形をとり、接触面が維持される。これによって、負荷を掛けた場合、伸長部が互いに沿う方向にシフト移動することがなく、キャノピーに負荷が掛からず、キャノピーを損傷することが少なくなる。
【００１３】
実施の形態では、伸長部は、第２方向１６よりも第１方向１５に小さい曲げ剛性を有する。図１及び４に示す実施の形態では、伸長部は平らな細長い一片（フラット・ストリップ）である。そのような、フラット・ストリップの場合、第１方向（ストリップの面に垂直な方向）に比較的容易に曲がるが、横方向１６（ストリップの平面内）に比較的大きい曲げ剛性を有する。負荷が掛かると、伸長部は、第１方向１５に曲がり、さらに広がって負荷を吸収する接触面Ａを形成する。横方向１６の曲げ剛性が、負荷の方向に対応する第１方向（伸長部を形成するストリップの面に垂直な方向）１５の曲げ剛性より大きいため、伸長部は横方向にごく僅かしか曲がらない。これによって、第１及び第２伸長部の中央軸２５ａ，２５ｂは、横方向１６にごく僅かに相対的に移動するに過ぎない。そのため、接触面が保持され、伸長部が互いに沿う方向に移動することが防止される。
【００１４】
さらに実施の形態では、第１及び第２伸長部は、第１及び第２伸長部が互いに案内されることを確実にする協働形状（ｃｏ−ａｃｔｉｎｇ  ｆｏｒｍｓ）を形成する。これにより、伸長部の間に接触面が保持され、伸長部が互いに沿う方向に移動することが防止される。特に、第２伸長部１０５ｂ，２０５ｂ，３０５ｂは、それらの形状によって、第１伸長部１０５ａ，２０５ａ，３０５ａに案内され、又は、係合する。負荷が増すと、第１及び第２伸長部は、益々広い接触面となり、第１及び第２伸長部の協働形状により、２つの伸長部の間の横方向の相対的な移動が確実に防止される。そのような係合を確かにする断面の例の幾つかが図１３，１４，１５及び１６に示される。図１５に示すように、両伸長部は、必ずしも同一の断面形状である必要はない。
【００１５】
操作手段４（図５）は、移動可能であり、好ましくは、ロッド２の長さ方向の重要な部分を取り囲む中空管の形状であり、それに沿ってスライド移動できる。キャノピー３が閉じた場合、中空管は、キャノピー３の連結部に近いロッド２の最上の位置に配置され、キャノピー３を開くために、その最上の位置からロッド２に沿って下方に移動可能である。操作手段４は、好ましくは、例えばＰＯＭのような、射出成形と接着が可能な紫外線抵抗性の堅い材料で製造される。伸長部５ｂが設けられる側で、操作手段４は、図８に詳細に示す、いわゆるランナー１０を備える。
【００１６】
操作手段４と各第２伸長部５ｂの間の回動自在な連結部は、実質的に柔軟で回動する部材７であり、その回動自在な連結部は、一端が第２伸長部５ｂの第１端部に取り付けられ、他端が移動可能な操作手段４（図８）に取り付けられる。回動部７は、好ましくは、柔軟かつ耐久性がある材料を用いた繊維であり、例えば、アラミド又はダイニーマ（登録商標）である。回動部７は、より好ましくは、スリーブ状に織られた繊維又は繊維リボンで製造され、このスリーブの一端は、第２伸長部５ｂの第１端部の周囲に設けられ、接着又は圧着（図８）によってそこに固定される。スリーブ状の回動部の他端は、移動可能な操作手段４に、留め具によって固定される。
【００１７】
操作部は２つの部位を備え、第１部位８ａはロッド２に設けられ、第２部位８ｂは操作手段４に設けられる。キャノピー３が閉じた状態では、ハンドル８のこれら２つの各部位は互いに離れ（図６）、傘は、ロッド２に設けられた好ましくはノブ状の部分を持って持ち運べる。ハンドルの２つの分離した部分は、互いの方向に移動し、それらは実質的に一体となって（図７）、傘が開く、すなわちキャノピー３が広がった状態に移動する。傘がこの状態である場合、湾曲した金属ストリップによって付勢されたボタン状の固定部材９によって、開いた状態（図７）で傘を維持することを確実にする固定ができる。固定は、この固定部材９を押下することで解除され、２つの操作部８ａ及び８ｂが離れるように移動することで、傘は再び閉じる。
【００１８】
ハンドルの反対のロッド２の端部に設けられた設置手段は、キャップ１２と、位置付けリング１３と、カバー１４とを備える（図９）。
【００１９】
キャノピー３が開いた状態である場合、第１及び第２伸長部５ａ，５ｂを備える伸長手段５は、実質的にロッド２から半径方向に伸びる。開いた状態では、少なくとも第２伸長部５ｂが付勢される。少なくとも第２伸長部５ｂは、好ましくは、プラスチックで補強された繊維で製造され、理想的には、全ての伸長部がプラスチックで補強された繊維で製造される。
【００２０】
図示する実施の形態では、キャノピー３は非対称な形状を有し、ロッド２はキャノピー３に特徴的に取り付けられる（図１−３）。伸長部５ａ及び５ｂは、非対称な形状（図３）に応じて種々の長さを有し、側方から見て実質的に翼型であり（図２）、上方から見て実質的に卵形（図３）である。キャノピー３が非対称な形状であるため、傘装置１は、突風に晒された場合に安定した状態であることを確実にする空気力学的形状に進歩した。その結果、抵抗が明らかに低減し、本発明に係る傘によると、強風の天候でもより快適に操作できる。さらに、この自己調整式の平衡機構によって、傘装置に過剰な負荷が掛かり難くなり、耐久性が向上する。
【００２１】
風が弱いため、体の上方にキャノピー３を保持できる場合、キャノピー３の非対称な形状により、利用者は、彼／彼女の隣に傘のロッド２を携えることが可能になる。
【００２２】
傘装置は、好ましくは、６を備え、これらの保護手段６は、例えば各端部にガードを備える。実施の形態では、このガードは、図１０に示すように、軸Ｃ−Ｃを中心に回動可能であり、ロッド２の反対側の伸長部５ａ又は５ｂの端部に設けられ、それによって、このガードは内方に折り畳んだ状態に回動可能である（図１０）。キャノピー３も、保護手段６の内方に折り畳んだ状態に固定されてもよい。内方に折り畳んだ状態であるガードによって、キャノピーの外周に、実質的に突出部を有しない丸みのある表面が備えられ、それによって、キャノピー３が開いた状態である場合に通行人に怪我をさせる危険を低減させることができる。
【００２３】
他の実施の形態では（図示せず）、ロッド２と伸長部５ａ及び５ｂとは、分離した形状であってもよく、その場合、ロッド２と伸長部５ａ及び５ｂとの部品の形状は実質的に対応しており、ロッド２は、使用準備状態と収納状態とを転換可能であり、収納状態では、傘装置１の形状は、使用準備状態の場合に比べてかなり小さい。本発明に係る傘装置は、このように大変コンパクトに収納され、それによって、鞄又はコートのポケットにしまうことができる。
【００２４】
上述の実施の形態は、本発明の好ましい実施の形態を示すものであるが、本発明を例示するだけであり、本装置の詳細を限定するものではない。関連する利点を維持する一方で、本発明に係る傘装置の別の新しい形態に、他の組み合わせが、また適宜従来の傘装置さえも備えられてよい。例えば、上述の又図示した回動自在な連結部は、パラソル又は傘以外に利用され得るもので、例えばヨットのブームとマストの間に取り付けられてもよい。本発明の範囲は、添付の特許請求の範囲によってのみ決められる。
【図面の簡単な説明】
【００２５】
【図１】図１は、本発明の実施の形態に係る傘装置の斜視図。
【図２】図２は、図１に示す傘装置の側面部。
【図３】図３は、図１に示す傘装置の平面図。
【図４】図４は、図１に示す傘装置の開いた状態を示す底面からの斜視図。
【図５】図５は、図１に示す傘装置の操作手段の断面図。
【図６】図６は、図１に示す傘装置が第１の閉じた状態でのハンドルの断面図。
【図７】図７は、図１に示す傘装置が第２の開いた状態でのハンドルの断面図。
【図８】図８は、１つの第２伸長部が設けられた操作手段の斜視図。
【図９】図９は、ハンドルの反対側のロッド端部に設ける設置装置の斜視図。
【図１０】図１０は、伸長部の斜視図。
【図１１】図１１は、実質的に負荷がない状態での接触面を有する第１及び第２伸長部を備える傘装置の斜視図。
【図１２】図１２は、負荷がある状態での接触面を有する第１及び第２伸長部を備える傘装置の斜視図。
【図１３】図１３は、第１方向で第２方向よりも小さい曲げ剛性を有する第１及び第２伸長部の断面図。
【図１４】図１４は、伸長部の断面が協働形状を有する実施の形態の断面図。
【図１５】図１５は、伸長部の断面が協働形状を有する他の実施の形態の断面図。
【図１６】図１６は、伸長部の断面が協働形状を有するさらに他の実施の形態の断面図。
【図１】
2008545503.tif 000003
【図２】
2008545503.tif 000004
【図３】
2008545503.tif 000005
【図４】
2008545503.tif 000006
【図５】
2008545503.tif 000007
【図６】
2008545503.tif 000008
【図７】
2008545503.tif 000009
【図８】
2008545503.tif 000010
【図９】
2008545503.tif 000011
【図１０】
2008545503.tif 000012
【図１１】
2008545503.tif 000013
【図１２】
2008545503.tif 000014
【図１３】
2008545503.tif 000015
【図１４】
2008545503.tif 000016
【図１５】
2008545503.tif 000017
【図１６】
2008545503.tif 000018
【国際調査報告】
2008545503.tif 000019
2008545503.tif 000020
2008545503.tif 000021
2008545503.tif 000022
2008545503.tif 000023
2008545503.tif 000024